(57)【要約】  洗濯機用単相誘導モータ及び洗濯機であって、該洗濯機用単相誘導モータは、ステータ１と、ステータ１に回転可能に結合されるロータ２とを含み、ロータ２は、籠型構造であり、ステータ１は、ステータコア１１と、ステータコア１１に設けられるステータ巻線１２とを含む。洗濯機用単相誘導モータは、極数が２極であり、同期回転数が３０００ｒｐｍであり、定格回転数が２２００ｒｐｍ〜２８００ｒｐｍである。洗濯機用４極単相誘導モータに比べ、本発明の洗濯機用単相誘導モータの回転数が、倍増となる。これにより、同じ出力パワーで、モータの出力トルクが半減されたため、モータの体積が小さくされ、洗濯機内でのモータの占有空間が効果的に小さくされ、洗濯機の内部空間が大きくされる。
2018518139.tif 000002
【特許請求の範囲】
【請求項１】
洗濯機用単相誘導モータであって、前記洗濯機用単相誘導モータは、
ステータと、前記ステータに回転可能に結合されるロータとを含み、
前記ステータは、ステータコアと、前記ステータコアに設けられるステータ巻線とを含み、
前記ロータは、籠型構造であり、前記洗濯機用単相誘導モータは、極数が２極であり、同期回転数が３０００ｒｐｍであり、定格回転数が２２００ｒｐｍ〜２８００ｒｐｍである、ことを特徴とする洗濯機用単相誘導モータ。
【請求項２】
前記ステータコアの内側に前記ロータが貫通する内孔が貫通して設けられ、前記ステータコアは、平行且つ対向する二つの第１の外縁と、平行且つ対向する二つの第２の外縁とを含み、且つ二つの前記第１の外縁間の距離が、二つの前記第２の外縁間の距離以下である、ことを特徴とする請求項１に記載の洗濯機用単相誘導モータ。
【請求項３】
前記内孔の直径と二つの前記第１の外縁間の距離との比の値が、０．４９：１以下である、ことを特徴とする請求項２に記載の洗濯機用単相誘導モータ。
【請求項４】
二つの前記第１の外縁間の距離が、１１６ｍｍ±５ｍｍである、ことを特徴とする請求項２に記載の洗濯機用単相誘導モータ。
【請求項５】
二つの前記第１の外縁間の距離が、１１６ｍｍ±５ｍｍである、ことを特徴とする請求項３に記載の洗濯機用単相誘導モータ。
【請求項６】
前記ステータコアは、その軸方向に延びる高さが、３５ｍｍ±２．５ｍｍである、ことを特徴とする請求項５に記載の洗濯機用単相誘導モータ。
【請求項７】
前記ステータコアは、その軸方向に延びる高さが、３５ｍｍ±２．５ｍｍである、ことを特徴とする請求項１〜４のいずれか一項に記載の洗濯機用単相誘導モータ。
【請求項８】
前記ステータコアに前記ステータ巻線が収容される複数の巻線スロット群が設けられ、各前記巻線スロット群は、何れも四つの浅いスロットと、凹み深さが前記浅いスロットの凹み深さより深い二つの深いスロットとを含む、ことを特徴とする請求項１〜６のいずれか一項に記載の洗濯機用単相誘導モータ。
【請求項９】
同一の前記巻線スロット群において、二つの前記深いスロットが隣接して設けられ且つ四つの前記浅いスロットの同一側に位置している、ことを特徴とする請求項８に記載の洗濯機用単相誘導モータ。
【請求項１０】
前記深いスロットのスロット面の面積と前記浅いスロットのスロット面の面積との比が、１．３６：１以上である、ことを特徴とする請求項８に記載の洗濯機用単相誘導モータ。
【請求項１１】
前記深いスロットのスロット面の面積と前記浅いスロットのスロット面の面積との比が、１．３６：１以上である、ことを特徴とする請求項９に記載の洗濯機用単相誘導モータ。
【請求項１２】
前記巻線スロット群は、四つ設けられ、前記ステータコアの外縁には、四つのコーナーを備え、四つの前記巻線スロット群における各前記深いスロットが、それぞれ前記ステータコアの外縁の四つの前記コーナーに対向して設けられている、ことを特徴とする請求項８に記載の洗濯機用単相誘導モータ。
【請求項１３】
前記巻線スロット群は、四つ設けられ、前記ステータコアの外縁には、四つのコーナーを備え、四つの前記巻線スロット群における各前記深いスロットが、それぞれ前記ステータコアの外縁の四つの前記コーナーに対向して設けられている、ことを特徴とする請求項９に記載の洗濯機用単相誘導モータ。
【請求項１４】
前記巻線スロット群は、四つ設けられ、前記ステータコアの外縁には、四つのコーナーを備え、四つの前記巻線スロット群における各前記深いスロットが、それぞれ前記ステータコアの外縁の四つの前記コーナーに対向して設けられている、ことを特徴とする請求項１０に記載の洗濯機用単相誘導モータ。
【請求項１５】
前記巻線スロット群は、四つ設けられ、前記ステータコアの外縁には、四つのコーナーを備え、四つの前記巻線スロット群における各前記深いスロットが、それぞれ前記ステータコアの外縁の四つの前記コーナーに対向して設けられている、ことを特徴とする請求項１１に記載の洗濯機用単相誘導モータ。
【請求項１６】
前記ステータ巻線は、メイン巻線とサブ巻線とを含み、前記浅いスロット内に前記メイン巻線と前記サブ巻線とのうち一つだけが巻き付けて設けられ、前記深いスロット内に同時に前記メイン巻線と前記サブ巻線とが巻き付けて設けられ、または、前記深いスロット内に前記メイン巻線と前記サブ巻線とのうち一つだけが巻き付けて設けられる、ことを特徴とする請求項８に記載の洗濯機用単相誘導モータ。
【請求項１７】
前記ステータ巻線は、メイン巻線とサブ巻線とを含み、前記浅いスロット内に前記メイン巻線と前記サブ巻線とのうち一つだけが巻き付けて設けられ、前記深いスロット内に同時に前記メイン巻線と前記サブ巻線とが巻き付けて設けられ、または、前記深いスロット内に前記メイン巻線と前記サブ巻線とのうち一つだけが巻き付けて設けられる、ことを特徴とする請求項９に記載の洗濯機用単相誘導モータ。
【請求項１８】
前記ステータ巻線は、メイン巻線とサブ巻線とを含み、前記浅いスロット内に前記メイン巻線と前記サブ巻線とのうち一つだけが巻き付けて設けられ、前記深いスロット内に同時に前記メイン巻線と前記サブ巻線とが巻き付けて設けられ、または、前記深いスロット内に前記メイン巻線と前記サブ巻線とのうち一つだけが巻き付けて設けられる、ことを特徴とする請求項１０に記載の洗濯機用単相誘導モータ。
【請求項１９】
前記ステータ巻線は、メイン巻線とサブ巻線とを含み、前記浅いスロット内に前記メイン巻線と前記サブ巻線とのうち一つだけが巻き付けて設けられ、前記深いスロット内に同時に前記メイン巻線と前記サブ巻線とが巻き付けて設けられ、または、前記深いスロット内に前記メイン巻線と前記サブ巻線とのうち一つだけが巻き付けて設けられる、ことを特徴とする請求項１１に記載の洗濯機用単相誘導モータ。
【請求項２０】
前記ステータ巻線は、メイン巻線とサブ巻線とを含み、前記浅いスロット内に前記メイン巻線と前記サブ巻線とのうち一つだけが巻き付けて設けられ、前記深いスロット内に同時に前記メイン巻線と前記サブ巻線とが巻き付けて設けられ、または、前記深いスロット内に前記メイン巻線と前記サブ巻線とのうち一つだけが巻き付けて設けられる、ことを特徴とする請求項１２に記載の洗濯機用単相誘導モータ。
【請求項２１】
前記ステータ巻線は、メイン巻線とサブ巻線とを含み、前記浅いスロット内に前記メイン巻線と前記サブ巻線とのうち一つだけが巻き付けて設けられ、前記深いスロット内に同時に前記メイン巻線と前記サブ巻線とが巻き付けて設けられ、または、前記深いスロット内に前記メイン巻線と前記サブ巻線とのうち一つだけが巻き付けて設けられる、ことを特徴とする請求項１３に記載の洗濯機用単相誘導モータ。
【請求項２２】
前記ステータ巻線は、メイン巻線とサブ巻線とを含み、前記浅いスロット内に前記メイン巻線と前記サブ巻線とのうち一つだけが巻き付けて設けられ、前記深いスロット内に同時に前記メイン巻線と前記サブ巻線とが巻き付けて設けられ、または、前記深いスロット内に前記メイン巻線と前記サブ巻線とのうち一つだけが巻き付けて設けられる、ことを特徴とする請求項１４に記載の洗濯機用単相誘導モータ。
【請求項２３】
前記ステータ巻線は、メイン巻線とサブ巻線とを含み、前記浅いスロット内に前記メイン巻線と前記サブ巻線とのうち一つだけが巻き付けて設けられ、前記深いスロット内に同時に前記メイン巻線と前記サブ巻線とが巻き付けて設けられ、または、前記深いスロット内に前記メイン巻線と前記サブ巻線とのうち一つだけが巻き付けて設けられる、ことを特徴とする請求項１５に記載の洗濯機用単相誘導モータ。
【請求項２４】
衣類容器と、前記衣類容器を回転駆動する駆動モータと、前記衣類容器と前記駆動モータとの間に伝動可能に接続される伝動制御機構とを含む洗濯機であって、
前記駆動モータは、請求項１〜２３のいずれか一項に記載の洗濯機用単相誘導モータを採用し、前記ロータは、前記伝動制御機構を介して前記衣類容器に接続される、ことを特徴とする洗濯機。
【請求項２５】
前記衣類容器の回転中心軸が、鉛直軸である、ことを特徴とする請求項２４に記載の洗濯機。
【請求項２６】
前記伝動制御機構は、前記ロータに接続されるクラッチと、前記クラッチと前記衣類容器との間に接続される減速伝動構造とを含む、ことを特徴とする請求項２４または２５に記載の洗濯機。
【請求項２７】
前記減速伝動構造は、１次減速構造と２次減速構造とを含み、
前記洗濯機用単相誘導モータは、前記クラッチ及び前記１次減速構造の伝動により、前記衣類容器が７５０ｒｐｍ〜８００ｒｐｍの回転数で回転するように駆動し、または、
前記洗濯機用単相誘導モータは、前記クラッチ、前記１次減速構造、及び前記２次減速構造の伝動により、前記衣類容器が２１０ｒｐｍ〜２６０ｒｐｍの回転数で回転するように駆動する、ことを特徴とする請求項２６に記載の洗濯機。
【発明の詳細な説明】
【技術分野】
【０００１】
本発明は、モータ分野に関し、特に、洗濯機用単相誘導モータ及び当該洗濯機用単相誘導モータを備える洗濯機に関する。
【背景技術】
【０００２】
従来のパルセータ洗濯機用単相誘導モータは、何れも４極モータであり、その同期回転数は、１５００ｒｐｍである。当該洗濯機の作動原理は、以下のようである。洗濯機は、脱水作動状態で、４極モータが１次減速構造により約７５０ｍｍ〜８００ｒｐｍの範囲まで減速されて、衣類容器が回転するように駆動する。洗濯機は、洗濯作動状態で、４極モータが１次減速構造及び２次減速構造により約２１０〜２６０ｒｐｍの範囲まで減速され、衣類容器が回転するように駆動する。
【０００３】
従来のパルセータ洗濯機は、実用上で、以下の欠点が存在する。
衣類容器を回転駆動するモータは、４極モータであり、同期回転数が１５００ｒｐｍであり、その回転数が比較的低いため、同じ出力パワーに対応するモータの出力トルクが比較的高い。また、モータの体積がモータのトルクに正比例するため、モータの体積が比較的大きい。これにより、洗濯機内でのモータの占有空間が比較的大きくなり、洗濯機の内部空間構造の設計の最適化が妨害される。
【発明の概要】
【発明が解決しようとする課題】
【０００４】
本発明は、従来技術の不備を克服するために、洗濯機内で従来の洗濯機用単相誘導モータが占有する空間が大きいという技術的課題を解決した洗濯機用単相誘導モータ及び洗濯機を提供することを目的とする。
【課題を解決するための手段】
【０００５】
上記目的を達成するため、本発明の技術思想は、洗濯機用単相誘導モータであって、ステータと、前記ステータに回転可能に結合されるロータとを含み、前記ステータは、ステータコアと、前記ステータコアに設けられるステータ巻線とを含み、前記ロータは、籠型構造であり、前記洗濯機用単相誘導モータは、極数が２極であり、同期回転数が３０００ｒｐｍであり、定格回転数が２２００ｒｐｍ〜２８００ｒｐｍである。
【０００６】
好ましくは、前記ステータコアの内側に前記ロータが貫通する内孔が貫通して設けられ、前記ステータコアは、平行且つ対向する二つの第１の外縁と、平行且つ対向する二つの第２の外縁とを含み、且つ二つの前記第１の外縁間の距離が、二つの前記第２の外縁間の距離以下である。
【０００７】
好ましくは、前記内孔の直径と二つの前記第１の外縁間の距離との比の値が、０．４９：１以下である。
【０００８】
好ましくは、二つの前記第１の外縁間の距離が、１１６ｍｍ±５ｍｍである。
【０００９】
好ましくは、前記ステータコアは、その軸方向に延びる高さが、３５ｍｍ±２．５ｍｍである。
【００１０】
好ましくは、前記ステータコアに前記ステータ巻線が収容される複数の巻線スロット群が設けられ、各前記巻線スロット群は、何れも四つの浅いスロットと、凹み深さが前記浅いスロットの凹み深さより深い二つの深いスロットと、を含む。
【００１１】
好ましくは、同一の前記巻線スロット群において、二つの前記深いスロットが隣接して設けられ、且つ四つの前記浅いスロットの同一側に位置している。
【００１２】
好ましくは、前記深いスロットのスロット面の面積と前記浅いスロットのスロット面の面積との比が、１．３６：１以上である。
【００１３】
好ましくは、前記巻線スロット群は、四つ設けられ、前記ステータコアの外縁には、四つのコーナーを備え、四つの前記巻線スロット群における各前記深いスロットが、それぞれ前記ステータコアの外縁の四つの前記コーナーに対向して設けられている。
【００１４】
好ましくは、前記ステータ巻線は、メイン巻線とサブ巻線とを含み、前記浅いスロット内に前記メイン巻線と前記サブ巻線とのうち一つだけが巻き付けて設けられ、前記深いスロット内に同時に前記メイン巻線と前記サブ巻線とが巻き付けて設けられ、または、前記深いスロット内に前記メイン巻線と前記サブ巻線とのうち一つだけが巻き付けて設けられる。
【００１５】
本発明に係る洗濯機用単相誘導モータは、モータの構造を２極とすることにより、モータの同期回転数を３０００ｒｐｍまで向上させる。脱水作動状態及び洗濯作動状態での洗濯機の回転数への要求を満足するために、伝動制御機構の減速比を大きくすることにより、実現することができる。従来の洗濯機用４極単相誘導モータに比べ、本発明の洗濯機用単相誘導モータの回転数が、倍増となる。これにより、同じ出力パワーで、モータの出力トルクを半減することができるため、モータの体積を約２０%小さくすることができる。そのため、洗濯機内でのモータの占有空間が効果的に小さくされ、洗濯機の内部空間が大きくされ、洗濯機の内部空間構造設計の最適化に寄与し、モータの重量が減少し、モータのコストが低下する。
【００１６】
更に、本発明は、更に洗濯機を提供し、前記洗濯機は、衣類容器と、前記衣類容器を回転駆動する駆動モータと、前記衣類容器と前記駆動モータとの間に伝動可能に接続される伝動制御機構とを含み、前記駆動モータは、上記の洗濯機用単相誘導モータを採用し、ロータが、前記伝動制御機構を介して前記衣類容器に接続される。
【００１７】
好ましくは、前記衣類容器の回転中心軸が、鉛直軸である。
【００１８】
好ましくは、前記伝動制御機構は、前記ロータに接続されるクラッチと、前記クラッチと前記衣類容器との間に接続される減速伝動構造とを含む。
【００１９】
好ましくは、前記減速伝動構造は、１次減速構造と２次減速構造とを含み、前記洗濯機用単相誘導モータは、前記クラッチ及び前記１次減速構造の伝動により、前記衣類容器が７５０ｒｐｍ〜８００ｒｐｍの回転数で回転するように駆動する。または、前記洗濯機用単相誘導モータは、前記クラッチ、前記１次減速構造、及び前記２次減速構造の伝動により、前記衣類容器が２１０ｒｐｍ〜２６０ｒｐｍの回転数で回転するように駆動する。
【００２０】
本発明に係る洗濯機は、上記の洗濯機用単相誘導モータを採用しているため、洗濯機内でのモータの占有空間が小さくされ、洗濯機内部の有効空間が大きくされ、洗濯機の内部構造の最適化に寄与し、洗濯機の総合性能の向上に寄与する。
【図面の簡単な説明】
【００２１】
【図１】本発明の実施例に係るステータの平面構造の概略図である。
【図２】本発明の実施例に係るステータとロータとの結合構造の概略図である。
【発明を実施するための形態】
【００２２】
本発明の目的、技術思想及び利点を明確にするために、以下に、図面及び実施例を参照しつつ本発明を更に詳しく説明する。なお、ここで説明される具体的な実施例は、単に本発明を解釈するためのものであり、本発明を限定するものではない。
【００２３】
なお、一つの素子が他の一つの素子に「固定される」または「設けられる」と説明する場合に、直接に他の一つの素子に存在しても良いし、同時に中間の素子が存在しても良い。一つの素子が他の一つの素子に「接続される」と説明する場合に、直接に他の一つの素子に接続されても良いし、同時に中間の素子が存在しても良い。
【００２４】
なお、以下の実施例における「左」、「右」、「上」、「下」、「頂」、「底」等の方位を示す用語は、お互いに相対的な概念または製品の一般の使用状態を参考として示す用語であり、限定性を有すると考えてはいけない。
【００２５】
図１と図２に示すように、本発明の実施例に係る洗濯機用単相誘導モータは、ステータ１と、ステータ１に回転可能に結合されるロータ２とを含む。ロータ２は、籠型構造である。ステータ１は、ステータコア１１と、ステータコア１１に設けられるステータ巻線１２とを含む。洗濯機用単相誘導モータは、極数が２極であり、同期回転数が３０００ｒｐｍであり、定格回転数が２２００ｒｐｍ〜２８００ｒｐｍである。本発明の実施例に係る洗濯機用単相誘導モータは、モータの構造を２極とすることにより、モータの同期回転数を３０００ｒｐｍまで向上させ、従来の４極単相誘導モータに比べ、回転数が倍増となる。これにより、同じ出力パワーで、モータの出力トルクを半減することができるため、モータの体積を約２０%小さくすることができる。そのため、洗濯機内でのモータの占有空間が効果的に小さくされ、洗濯機の内部空間が大きくされ、洗濯機の内部空間構造設計の最適化に寄与し、モータの重量が減少し、モータの材料コストが低下する。
【００２６】
好ましくは、ステータコア１１の内側にロータ２が貫通する内孔１１１が貫通して設けられ、即ち、本実施例に係る洗濯機用単相誘導モータは、インナ−ロータ型モータである。ステータコア１１は、外郭が、略方形状であり、平行且つ対向する二つの第１の外縁１１２と、平行且つ対向する二つの第２の外縁１１３とを含み、二つの第１の外縁１１２間の距離L１が、二つの第２の外縁１１３間の距離L２以下である。本実施例におけるステータコア１１の外郭設計を採用することにより、ステータコア１１のティース及びヨークの分布の均一性の確保に寄与するだけでなく、ステータコア１１の外形寸法及び重量の減少にも寄与するため、ステータコアの材料利用率の向上に寄与する。
【００２７】
好ましくは、内孔１１１の直径Dと二つの第１の外縁１１２間の距離L１との比の値が、０．４９：１以下である。前記比率の設計を採用することにより、ステータコア１１とステータ巻線１２とのコストを最適化することができため、モータのコストの低下お及びモータの体積の減少に寄与する。
【００２８】
好ましくは、二つの第１の外縁１１２間の距離L１が、１１６ｍｍ±５ｍｍであり、ステータコア１１は、その軸方向に延びる高さが、３５ｍｍ±２．５ｍｍである。これにより、ステータコア１１の体型並びにティース及びヨークの分布の最適化に寄与し、モータの体積を効果的に小さくし、且つモータ性能パラメータの要求を満足する前提で、ステータコア１１の重量を約２０%減少させることができる。
【００２９】
好ましくは、ステータコア１１にステータ巻線１２が収容される複数の巻線スロット群１１４が設けられ、各巻線スロット群１１４は、何れも四つの浅いスロット１１４１と、凹み深さが浅いスロット１１４１の凹み深さより深い二つの深いスロット１１４２とを含み、且つ同一の巻線スロット群１１４において、二つの深いスロット１１４２が隣接して設けられ且つ四つの浅いスロット１１４１の同一側に位置する。浅いスロット１１４１または深いスロット１１４２の凹み深さは、具体的に、浅いスロット１１４１または深いスロット１１４２が内孔１１１からステータコア１１外縁に延びる深さを指す。説明の便宜上、本実施例において、浅いスロット１１４１と深いスロット１１４２とを、巻線スロットと呼ぶことにする。即ち、実施例に言及される巻線スロットは、浅いスロット１１４１であっても良いし、深いスロット１１４２であっても良い。本実施例において、巻線スロットを、凹み深さが異なる浅いスロット１１４１及び深いスロット１１４２とすることにより、巻線スロットの利用率を向上させ、各巻線スロットのスロット利用率を十分に発揮し、モータの効率を向上させ、ステータコア１１のティース及びヨークの分布の均一性の向上に寄与する。
【００３０】
好ましくは、深いスロット１１４２のスロット面の面積と浅いスロット１１４１のスロット面の面積との比が、１．３６：１以上である。該比の値とすることにより、ステータコア１１のティース及びヨークの分布を最適化し、ステータコア１１の材料利用率の向上に寄与する。
【００３１】
好ましくは、巻線スロット群１１４は、四つ設けられ、これにより、浅いスロット１１４１と深いスロット１１４２との数の合計が２４となり、即ち巻線スロットの数が２４個である。ステータコア１１の外縁には、四つのコーナー１１５を備え、各コーナー１１５が、それぞれ各第１の外縁１１２と各第２の外縁１１３との交差箇所に位置づけられ、且つ四つの巻線スロット群１１４における各深いスロット１１４２が、それぞれステータコア１１の外縁の四つのコーナー１１５に対向して設けられる。これにより、深いスロット１１４２を設けることによるステータのヨークの一部が薄すぎる状況の発生を避けることに寄与し、ステータのヨークの一部が薄すぎることによって磁気回路が影響される状況の発生を避け、ステータコア１１ティース及びヨークの分布の均一性を確保する。
【００３２】
好ましくは、ステータ巻線１２がアルミニウム巻線である。これにより、モータの効率を満足した前提で、ステータ巻線１２の材料コストの低下に寄与することができるため、モータのコストの低下に寄与する。勿論、実用上、ステータ巻線１２が銅巻線であっても良い。
【００３３】
好ましくは、ステータ巻線１２は、メイン巻線とサブ巻線とを含む。浅いスロット１１４１内にメイン巻線とサブ巻線とのうち一つだけが巻き付けて設けられ、深いスロット１１４２内に同時にメイン巻線とサブ巻線とが巻き付けて設けられ、これにより、浅いスロット１１４１と深いスロット１１４２とのスロット利用率及びスロット空間率の向上に寄与する。勿論、実用上、深いスロット１１４２内にメイン巻線とサブ巻線とのうち一つだけが巻き付けて設けられてもよいし、または、一部の深いスロット１１４２内に同時にメイン巻線とサブ巻線とが巻き付けて設けられ、もう一部の深いスロット１１４２内にメイン巻線とサブ巻線とのうち一つだけが巻き付けて設けられても良い。
【００３４】
好ましくは、本実施例におけるロータ２が籠型ロータである。具体的に、ロータ２は、回転軸と、回転軸に取り付けられるロータコアと、ロータコアに設けられるロータ巻線とを含む。本実施例において、ロータ巻線は籠型巻線である。籠型巻線は、具体的に、アルミニウムストリップまたは銅ストリップとエンドリングとを溶接または鋳造することにより、形成され、構造が簡単で、低価格で、頑丈で耐久性が高く、メンテナンスしやすい。
【００３５】
更に、本発明の実施例は、洗濯機を更に提供する。該洗濯機は、衣物を収容する衣類容器（図示せず）と、衣類容器を回転駆動する駆動モータと、衣類容器と駆動モータとの間に伝動可能に接続される伝動制御機構（図示せず）とを含む。駆動モータは、上記の洗濯機用単相誘導モータを採用し、ロータ２は、伝動制御機構を介して衣類容器に接続される。本発明の実施例に係る洗濯機は、具体的に、パルセータ式洗濯機であり、上記の洗濯機用単相誘導モータを採用することにより、洗濯機内でのモータの占有空間が小さくされ、洗濯機内部の有効空間が大きくされるため、洗濯機の内部構造の最適化に寄与し、最終的に洗濯機の総合性能の向上に寄与する。
【００３６】
好ましくは、本実施例において、衣類容器が鉛直軸回りに回転する。即ち、衣類容器の回転中心軸が、鉛直軸である。これにより、洗濯機の内部構造の最適化に寄与する。
【００３７】
好ましくは、伝動制御機構は、ロータ２に接続されるクラッチと、クラッチと衣類容器との間に接続される減速伝動構造とを含む。減速伝動構造は、１次減速構造と２次減速構造とを含む。洗濯機用単相誘導モータは、クラッチ及び１次減速構造の伝動により、衣類容器が７５０ｒｐｍ〜８００ｒｐｍの回転数で回転するように駆動する。または、洗濯機用単相誘導モータは、クラッチと、１次減速構造、及び２次減速構造の伝動により、衣類容器が２１０ｒｐｍ〜２６０ｒｐｍの回転数で回転するように駆動する。本実施例において、クラッチは、洗濯機用単相誘導モータから減速伝動構造へ伝達される動力を切断または伝達することができる一方、洗濯機用単相誘導モータの動力伝達ルートを切り換えることができる。具体的に、クラッチは、洗濯機用単相誘導モータによって出力される動力を、１次減速構造により減速して直接、衣類容器に伝達することができるし、洗濯機用単相誘導モータによって出力される動力を、１次減速構造及び２次減速構造により減速して衣類容器に伝達することもできる。実用上、脱水作動状態において、洗濯機用単相誘導モータによって出力される動力は、クラッチを介して１次減速構造に伝達されて減速される。１次減速構造は、洗濯機用単相誘導モータからの出力回転数を７５０ｒｐｍ〜８００ｒｐｍまで減速して、衣類容器に伝達して、衣類容器を７５０ｒｐｍ〜８００ｒｐｍの回転数で回転させることができる。洗濯作動状態において、洗濯機用単相誘導モータによって出力される動力は、クラッチを介して１次減速構造に伝達されて減速される。１次減速構造は、洗濯機用単相誘導モータからの出力回転数を７５０ｒｐｍ〜８００ｒｐｍまで減速して、２次減速構造に伝達して減速することができる。２次減速構造は、１次減速構造から伝達されてきた動力を２１０ｒｐｍ〜２６０ｒｐｍまで減速して、衣類容器に伝達して、衣類容器を２１０ｒｐｍ〜２６０ｒｐｍの回転数で回転させることができる。
【００３８】
具体的に、従来の４極単相誘導モータを採用する洗濯機に比べ、本実施例において、１次減速構造の減速比を１．７２から２．５〜３．５に大きくするが、２次減速構造の減速比を変更しない。これにより、脱水作動状態での衣類容器の回転数を７５０ｒｐｍ〜８００ｒｐｍにすることができるだけでなく、洗濯作動状態での衣類容器の回転数を２１０ｒｐｍ〜２６０ｒｐｍにすることもできるため、洗濯機の作動回転数への要求が効果的に満足される。また、１次減速構造の減速比のみを変更するため、洗濯機の構造が簡単で、実現しやすい。
【００３９】
好ましくは、本実施例において、１次減速構造がベルト伝動構造であり、２次減速構造が歯車伝動構造である。これらは、伝動が安定的で、構造がコンパクトである。勿論、実用上、１次減速構造と２次減速構造とが、他の伝動構造の組合せであっても良い。
【００４０】
以上の内容は、単に本発明の好ましい実施例であり、本発明を限定するものではない。本発明の主旨及び原理から逸脱しない範囲で行われた各種の修正、同等な取替及び改善は、何れも本発明の保護範囲に含まれるべきである。
【符号の説明】
【００４１】
１  ステータ
２  ロータ
１１  ステータコア
１２  ステータ巻線
１１１  内孔
１１２  第１の外縁
１１３  第２の外縁
【図１】
2018518139.tif 000003
【図２】
2018518139.tif 000004
【国際調査報告】
2018518139.tif 000005
2018518139.tif 000006
2018518139.tif 000007
2018518139.tif 000008
2018518139.tif 000009
2018518139.tif 000010